(57)【要約】【課題】新たな部材等を設けることなく装置本体内部等を効率的に乾燥して蒸気発生運転後の装置内の水分を確実に除去できると共に、省エネ面やコスト面でも有利な蒸気発生装置を提供する。【解決手段】筐体内に配置され拡散手段から湯水が拡散されることにより蒸気を発生させ得る熱交換器と、筐体内の通風路に配置された送風手段と、該送風手段の作動を制御して、通風路から熱交換器で発生した蒸気を浴室内に吹き出す蒸気発生状態と筐体内に送風して該筐体内を乾燥させる装置乾燥状態とに設定可能な制御手段と、を備えることを特徴とする。前記送風手段が正逆転可能な送風ファンで形成され、制御手段により送風ファンが正転することにより蒸気発生状態に設定され送風ファンが逆転することにより装置乾燥状態に設定される。【選択図】図８
2007232295.tif 000002
【特許請求の範囲】
【請求項１】
筐体内に配置され拡散手段から湯水が拡散されることにより蒸気を発生させ得る熱交換器と、前記筐体内の通風路に配置された送風手段と、該送風手段の作動を制御して、前記通風路から熱交換器で発生した蒸気を浴室内に吹き出す蒸気発生状態と前記筐体内に送風して該筐体内を乾燥させる装置乾燥状態とに設定可能な制御手段と、を備えることを特徴とする蒸気発生装置。
【請求項２】
前記送風手段が正逆転可能な送風ファンで形成され、前記制御手段により送風ファンが正転することにより前記蒸気発生状態に設定され送風ファンが逆転することにより前記装置乾燥状態に設定されることを特徴とする請求項１に記載の蒸気発生装置。
【請求項３】
前記送風ファンは、その羽根の一部が正転時の送風方向と逆方向に設定されていることを特徴とする請求項２に記載の蒸気発生装置。
【請求項４】
前記熱交換器に拡散手段から拡散された湯水をタンク内に回収すると共に、回収した湯水を循環ポンプにより汲み上げて再び拡散手段に供給する湯水循環手段を備え、該湯水循環手段のタンク内に前記送風手段により送風されることを特徴とする請求項１ないし３のいずれかに記載の蒸気発生装置。
【請求項５】
前記タンクに設けた残水集水部が前記装置乾燥状態時に送風手段によって送風されることを特徴とする請求項４に記載の蒸気発生装置。
【請求項６】
前記残水集水部に前記循環ポンプが配置されていることを特徴とする請求項４または５に記載の蒸気発生装置。
【請求項７】
前記装置乾燥状態時に送風手段による筐体内への送風を誘導する誘導板を備えることを特徴とする請求項１ないし６のいずれかに記載の蒸気発生装置。
【発明の詳細な説明】
【技術分野】
【０００１】
本発明は、浴室の天井部分等に設置されて浴室内に蒸気を発生させる蒸気発生装置に係わり、特に装置内を乾燥させる装置乾燥機能を有する蒸気発生装置に関する。
【背景技術】
【０００２】
従来、浴室の例えば天井に設置される蒸気発生装置の場合、浴室内に蒸気（ミスト）を噴出させるミスト暖房運転の後に、装置本体内やグリル板あるいは排気ダクト内の結露、加湿用のタンク内の残水、熱交換器のフィン間の表面張力による水分保持等によって装置本体内部等に水分が残る場合がある。そこで、この水分による各種不具合の発生を抑制するために、浴室の天井部分に別途設置される換気乾燥暖房機の乾燥機能等によって、蒸気発生装置の本体内部や排気ダクト内を乾燥している。なお、浴室の天井等に設置される換気乾燥機としては、例えば特許文献１に開示されている。
【特許文献１】特開２０００−１４９９８号公報
【発明の開示】
【発明が解決しようとする課題】
【０００３】
しかしながら、このような蒸気発生装置においては、その装置本体内部の水分除去（すなわち乾燥）を、例えば特許文献１に開示の換気乾燥機のように、ヒータ等の専用の部材を有して浴室全体を乾燥させる大出力の乾燥機によって行っているため、蒸気発生装置の本体内部や排気ダクト内を部分的に乾燥させることが困難で、これらの部分を短時間に乾燥させることが難しく乾燥効率の面で劣ると共に、大出力の換気乾燥機の使用により省エネ面やコスト面でも好ましくない。
【０００４】
本発明は、このような事情に鑑みてなされたもので、その目的は、新たな部材等を設けることなく装置本体内部等を効率的に乾燥して蒸気発生運転後の装置内の水分を確実に除去できると共に、省エネ面やコスト面でも有利な蒸気発生装置を提供することにある。
【課題を解決するための手段】
【０００５】
かかる目的を達成すべく、本発明のうち請求項１に記載の発明は、筐体内に配置され拡散手段から湯水が拡散されることにより蒸気を発生させ得る熱交換器と、前記筐体内の通風路に配置された送風手段と、該送風手段の作動を制御して、前記通風路から熱交換器で発生した蒸気を浴室内に吹き出す蒸気発生状態と前記筐体内に送風して該筐体内を乾燥させる装置乾燥状態とに設定可能な制御手段と、を備えることを特徴とする。
【０００６】
また、請求項２に記載の発明は、前記送風手段が正逆転可能な送風ファンで形成され、前記制御手段により送風ファンが正転することにより前記蒸気発生状態に設定され送風ファンが逆転することにより前記装置乾燥状態に設定されることを特徴とする。また、請求項３に記載の発明は、前記送風ファンの羽根の一部が正転時の送風方向と逆方向に設定されていることを特徴とする。
【０００７】
さらに、請求項４に記載の発明は、前記熱交換器に拡散手段から拡散された湯水をタンク内に回収すると共に、回収した湯水を循環ポンプにより汲み上げて再び拡散手段に供給する湯水循環手段を備え、該湯水循環手段のタンク内に送風手段により送風されることを特徴とする。また、請求項５に記載の発明は、前記タンクに設けた残水集水部が前記装置乾燥状態時に送風手段によって送風されることを特徴とし、請求項６に記載の発明は、前記残水集水部に前記循環ポンプが配置されていることを特徴とする。またさらに、請求項７に記載の発明は、前記装置乾燥状態時に送風手段による筐体内への送風を誘導する誘導板を備えることを特徴とする。
【発明の効果】
【０００８】
本発明の請求項１に記載の発明によれば、筐体内の通風路に配置された送風手段の作動を制御手段で制御することにより、蒸気を浴室内に吹き出す蒸気発生状態と筐体内に送風して該筐体内を乾燥させる装置乾燥状態とに設定可能であるため、蒸気発生に使用する送風手段を筐体内の乾燥にも使用できて、乾燥用の新たな部材等を設けることなく筐体内等を効率的に乾燥して蒸気発生運転後の装置内の水分等を確実に除去できると共に、小容量（低出力）の送風手段の使用により装置の省エネ効果を高めることができたりコスト面でも有利な蒸気発生装置を得ることができる。
【０００９】
また、請求項２に記載の発明によれば、請求項１に記載の発明の効果に加え、送風手段としての正逆転可能な送風ファンが正転することにより蒸気発生状態に設定され送風ファンが逆転することにより装置乾燥状態に設定されるため、筐体内を乾燥させる構成を簡略化して安価な蒸気発生装置を得ることができる。
【００１０】
また、請求項３に記載の発明によれば、請求項２に記載の発明の効果に加え、送風ファンの羽根の一部が正転時の送風方向と逆方向に設定されているため、羽根の一部の形状を変更することで、逆回転時の送風力を所定に設定できて、筐体内部の乾燥効率を一層高めることができる。
【００１１】
さらに、請求項４に記載の発明によれば、請求項１ないし３に記載の発明の効果に加え、タンクと循環ポンプ等からなる湯水循環手段のタンク内に送風手段から送風されるため、送風によりタンク内の残水を確実に乾燥、除去することができる。なお、拡散手段から拡散された湯水を回収して再び拡散手段に供給するため、水の有効利用が図れて蒸気発生装置の省エネ効果を一層高めることができる。
【００１２】
また、請求項５に記載の発明によれば、請求項４に記載の発明の効果に加え、装置乾燥状態時に送風手段によってタンクの残水集水部に送風されるため、残水集水部に残水を集めた状態での送風によりタンク内の残水の乾燥、除去効率を高めることができる。
【００１３】
また、請求項６に記載の発明によれば、請求項４または５に記載の発明の効果に加え、残水集水部に循環ポンプが配置されているため、循環ポンプ内の残水を送風手段による残水集水部への送風で乾燥、除去できて、装置内部の水分除去を一層簡単かつ確実に行うことができる。
【００１４】
またさらに、請求項７に記載の発明によれば、請求項１ないし６に記載の発明の効果に加え、装置乾燥状態時に送風手段による筐体内への送風を誘導する誘導板を備えるため、所定位置に配置した誘導板により送風手段からの送風を筐体内部の所定位置に効果的に流通できて、装置内部をより一層確実に乾燥させることができる。
【発明を実施するための最良の形態】
【００１５】
以下、本発明の実施の形態を図面に基づいて詳細に説明する。
図１〜図９は、本発明に係わる蒸気発生装置の一実施形態を示し、図１がその基本構成図、図２がその具体的構成の概略平面図、図３がその通風路部分の縦断面図、図４、図５が送風ファンの説明図、図６がバッファタンクの平面図、図７が図６のＡ−Ａ線矢視図、図８が図６のＢ−Ｂ線矢視図、図９が動作の一例を示すフローチャートである。
【００１６】
図１に示すように、蒸気発生装置１は、筐体２内に所定間隔を有して略垂直状態で配置された２台の熱交換器３、４と、一方の熱交換器３に所定温度の湯水を拡散（放散、吐出、噴出、噴射、吹付け、噴霧等も含む）する拡散パイプ５（拡散手段）と、この拡散パイプ５で拡散された湯水を回収するバッファタンク６と、このバッファタンク６内の湯水を汲み上げて配管を介し前記拡散パイプ５に供給する循環ポンプ７と、隔壁等により形成された筐体２内の通風路８に配置され前記熱交換器３、４によって発生した蒸気や温風を浴室１３内に吹き出す送風ファン９（送風手段）と、ダンパーモータ１１ａで開閉するダンパー１１を介して筐体２に接続された換気ファン１０と、制御基板１２（制御手段）等を備えている。
【００１７】
前記熱交換器３は主に蒸気発生用として使用され、図２及び図３に示すように、一定間隔で並設された多数枚のフィン３ａと、このフィン３ａの両端部に配置された支持板及びフィン３ａと支持板を支持する蛇行状に屈曲形成された温水供給管３ｂ等で構成されている。また、前記熱交換器４は温風発生用として使用され、熱交換器３と同様にフィン４ａ、支持板及び温水供給管４ｂ等により構成されている。そして、図１に示すように、熱交換器３、４の温水供給管３ｂ、４ｂには、温水循環機能付きの熱源機（図示せず）に接続された循環往き配管１５ａと循環戻り配管１５ｂが熱動弁１６ａ、１６ｂを介して接続されている。
【００１８】
前記循環ポンプ７は、バッファタンク６から吸い上げた湯水を２つの方向に吐出する切替式のポンプが使用され、一方の吐出口に配管を介して前記拡散パイプ５が接続され、他方の吐出口に排水配管１７が接続されている。そして、制御基板１２の制御信号により、循環ポンプ７が正転して拡散側に切り替わると共に循環ポンプ７が所定回転数で回転することにより、汲み上げた湯水が拡散パイプ５から熱交換器３に拡散され、また、循環ポンプ７が逆転して排水側に切り替わると共に所定回転数で回転することにより、汲み上げた湯水が排水配管１７を介して浴室１３外に排水されるようになっている。
【００１９】
前記バッファタンク６は、熱交換器３、４の下方に配置され、給水電磁弁１９が接続された給水配管１８が接続されると共に、バッファタンク６内の湯水の水位を検出するフロートスイッチ２０やバッファタンク６内の湯水の温度を検出する水温センサ２１が配置されている。また、バッファンタンク６の底壁外面には、該バッファタンク６内を乾燥等させるヒータ２２が配置されている。この、バッファタンク６及び前記循環ポンプ７等により本発明の湯水循環手段が構成されている。
【００２０】
前記送風ファン９は、例えば正逆転可能なクロスフローファンによって形成され、筐体２の下面開口部に装着されるグリル板２３の吸気口２３ａと吹出口２３ｂとの間で筐体２内に形成された通風路８内に配置されている。また、送風ファン９は、例えば図４に示すように、その羽根９ｂがファンモータ９ａの正転方向に対して窪んだ曲面形状（送風形状）に形成されており、ファンモータ９ａが矢印イの如く正転することにより、通風路８内に図２の矢印ハの如く空気の流れを生成（送風）し、送風ファンモータ９ａが矢印ロの如く逆転することにより、筐体２内に図２の矢印ニの如く送風し得るように構成されている。
【００２１】
なお、送風ファン９の羽根９ｂの形態は、図４の例に限定されず、図５に示すように、送風ファン９のＡの部分はファンモータ９ａの正転方向である矢印イの方向に対して窪んだ曲面形状にすると共に、Ｂの部分はファンモータ９ａの逆転方向である矢印ロ方向に対して窪んだ曲面形状でＡの部分とは逆形状としたり、平板状とすることも可能である。さらに、図４に拡大して示すように、１枚〜数枚の一部の羽根９ｂ１を回転方向に対して膨らんだ曲面形状で前記送風形状とは逆形状に設定したり平板状の羽根９ｂ２を所定位置に設ける等、正方向と逆方向に所定の風量が得られる適宜の形態を使用することができる。
【００２２】
前記換気ファン１０は、例えばシロッコファン等によって形成され、そのファンモータ１０ａ（図２参照）の回転により、吸気口２３ａと換気ファン１０との間の筐体２内に換気通路を形成するように構成されている。また、図１に示すように、前記グリル板２３の吹出口２３ｂには、ルーバー２４がルーバーモータ２４ａの回転により開閉可能に配設されている。また、前記吸気口２３ａの近傍には吸気温センサ２５が配置されると共に、例えば熱交換器３の温水供給管３ｂには暖房温水センサ２７が配置され、さらに、筐体２の外部所定位置には外気温センサ２６が配置されている。
【００２３】
そして、熱交換器３、４やバッファタンク６、循環ポンプ７，送風ファン９等の各部品が、図２及び図３に示すように、扁平薄型の前記筐体２内に配置されることで、蒸気発生装置１自体が扁平薄型形状に形成されて、図１に示すように、浴室１３の例えば天井パネル１３ａに筐体２及び換気ファン１０等が浴室１３外に位置するようにして設置されている。この時、湯水循環手段を構成する前記バッファタンク６は、図６〜図８に示すように構成されている。
【００２４】
すなわち、バッファタンク６は、図６（及び図２）に示すように、回収部６ａと貯留部６ｂにより平面視略Ｔ字形状に形成され、回収部６ａが両熱交換器３、４の隣接する下端部の下方に配置されると共に、貯留部６ｂが両熱交換器３、４の長手方向の一側方（筐体２の後側部分）に配置されている。また、バッファタンク６は、図７（ａ）に示すように、回収部６ａの底面がすり鉢状に形成されることによりその最深部に残水集水部３０が形成されている。なお、この残水集水部３０は、図７（ａ）に示す形状に限らず、例えば図７（ｂ）に示すように、２つのすり鉢部を有する形状に形成して２つの残水集水部３０を有する構成とする等、残水Ｗを集めて貯留できる適宜の形状を採用することができる。
【００２５】
また、バッファタンク６の貯留部６ｂも、図８に示すように、所定部分が一段低く底面が平坦なすり鉢状の残水集水部３１を有し、この残水集水部３１上に前記循環ポンプ７が配置されている。これにより、循環ポンプ７が排水側に切り替わった際に、貯留部６ｂに貯留されている湯水が循環ポンプ７で汲み上げられて排水されると共に、送風ファン９の逆転でバッファタンク６内に後述する如く温風が送風された際に、残水集水部３１の残水Ｗや循環ポンプ７内の残水が乾燥、除去されることになる。
【００２６】
前記制御基板１２には、その出力側に循環ポンプ７、各種開閉弁１６ａ、１６ｂ、１９及び各種モータ９ａ、１０ａ、１１ａ、２４ａ、ヒータ２２等が接続されると共に、その入力側に各種センサ２１、２５、２６、２７及び浴室外や浴室内のリコモン３２、３３（図１参照）が接続されている。そして、この制御基板１２の制御信号によって、蒸気発生装置１が、例えば「ミスト暖房」「ドライ暖房」「乾燥」及び「換気」の４つの運転モードで運転可能に構成されている。
【００２７】
次に、本発明に係わる蒸気発生装置１の動作の一例を、図９のフローチャートに基づいて説明する。先ず、本発明は、前述したように発生した蒸気を浴室１３内に吹き出すことにより、浴室１３内をミスト暖房状態にして入浴できるミスト暖房運転が可能であり、このミスト暖房運転は、次のようにして行われる。
【００２８】
すなわち、リモコン３２、３３の図示しないミスト暖房スイッチがオンすると、給水電磁弁１９が開となりバッファタンク６内に水が供給されると共に、循環ポンプ７がオン（作動）してバッファタンクタンク６内の水が循環ポンプ７で汲み上げられて拡散パイプ５から熱交換器３上に拡散、すなわち湯水が湯水循環手段内を循環する。この循環する湯水が所定温度となり熱交換器３に拡散されることにより蒸気が発生し、この蒸気が送風ファン９の作動で通風路８内を図２及び図３の矢印ハの如く流れてグリル板２３の吹出口２３ｂから浴室１３内に吹き出され、これにより、浴室１３内がミスト暖房状態に設定される。
【００２９】
そして、図９に示すように、例えばミスト暖房スイッチがオフする等してミスト暖房運転が終了（Ｓ１０１）すると、装置乾燥運転が自動的に開始（Ｓ１０２）され、先ず、停止状態の送風ファン９が逆転（Ｓ１０３）する。この送風ファン９の逆転により、通風路８内の空気が熱交換器４方向に流れ、その一部は、図３の矢印ニで示すようにバッファタンク６内に送風されると共に筐体２内の全域に送風されることになる。送風ファン９が逆転すると、予め制御基板１２に記憶されている時間Ｔが経過したか否かが判断（Ｓ１０４）され、この判断Ｓ１０４は「ＹＥＳ」になるまで繰り返される。
【００３０】
この送風ファン９の所定時間Ｔの逆転により、熱交換器３、４がミスト暖房運転の終了直後で余熱を持っていることから、この余熱により送風が温風となり、この温風によりバッファタンク６内や筐体２内が乾燥される。この時、バッファタンク６の回収部６ａや貯留部６ｂの底面に設けられた残水集水部３０、３１に残水が集められていることから、バッファタンク６内に送風される温風を残水集水部３０、３１内の残水Ｗに集中させることができ、該残水部３０、３１内の残水Ｗが乾燥、除去されることになる。
【００３１】
そして、判断Ｓ１０４で「ＹＥＳ」になると、送風ファン９が停止（Ｓ１０５）して、装置乾燥運転が終了（Ｓ１０６）する。つまり、ミスト暖房運転が終了すると、送風ファン９が所定時間Ｔ逆転して、筐体２内に温風を送風させて乾燥する装置乾燥運転が自動的に実行され、これにより、バッファタンク６内の残水Ｗや筐体２内に付着している結露等の水分が乾燥、除去されることになる。
【００３２】
なお、以上のフローチャートにおいては、装置乾燥運転がミスト暖房運転の終了後に自動的に実行される場合について説明したが、例えば、リモコン３０、３１に装置乾燥運転専用でミスト暖房転時には操作が禁止されたスイッチを設け、このスイッチをオン操作した際に作動するように構成することもできるし、例えば装置乾燥運転時に、前記換気ファンを作動させて筐体２内に送風された温風を換気通路から図示しない排気ダクトを介して浴室１３外に排出するようにしても良い。また、装置乾燥運転時に、温水循環機能付きの熱源機から温水を供給することにより熱交換器３、４の少なくとも一方を作動させて温風を積極的に筐体２内に送風して乾燥効率を高めるようにしても良い。
【００３３】
このように、上記実施形態の蒸気発生装置１にあっては、筐体２内の通風路８に配置した送風ファン９を正転させたり逆転させることにより、蒸気を浴室１３内に吹き出すミスト暖房運転状態と筐体２内に送風して該筐体２内を乾燥させる装置乾燥運転状態とに設定可能であるため、蒸気発生に使用する送風ファン９を筐体２内の乾燥にも使用できて、従来のように乾燥用のヒータ等の新たな部材等を設けることなく、筐体２内を効率的に乾燥してミスト暖房運転後の蒸気発生装置１内の水分等を確実かつ効率的に除去することができる。
【００３４】
また、送風ファン９の羽根９ｂの一部を逆方向に設定すれば、羽根９ｂの形状を一部変更することで逆回転時の送風力を所定に設定することができて、筐体２内部の乾燥効率を高めることができる。また、バッファタンク６の回収部６ａや貯留部６ｂに残水集水部３０、３１が設けられているため、バッファタンク６内の残水Ｗを残水集水部３０、３１に集めた状態で温風により乾燥、除去できると共に、残水貯留部３１に循環ポンプ７が配置されているため、循環ポンプ７内の残水も送風ファン９による送風で乾燥、除去できる。これらにより、筐体２内部の水分除去をより簡単かつ確実に行うことができる。
【００３５】
さらに、装置乾燥運転時に筐体２に設けた換気ファン１０を作動させるようにすれば、筐体２内に送風された温風を換気通路から排気ダクトを介して浴室１３外に排出することができ、筐体２内の乾燥と同時に排出ダクト内の乾燥も行うことができる。また、ミスト暖房運転終了後に装置乾燥運転が自動的に実行されるように構成することにより、装置乾燥を確実に実行して、次に使用する際の蒸気発生装置１の状態を常に清潔な状態に維持できると共に、装置乾燥運転時の操作が不要となって、使い勝手に優れた蒸気発生装置１を得ることができる。
【００３６】
また、筐体２内に配置される送風用のファンが、ミスト暖房運転に使用される比較的小容量（低出力）の送風ファン９のみで良いため、蒸気発生装置１の省エネ効果を高めることができると共に、正逆転可能な送風ファン９が正転することによりミスト暖房運転状態に設定され送風ファン９が逆転することにより装置乾燥運転状態に設定されるため、筐体２内を乾燥させる構成を簡略化して安価でコスト的に有利な蒸気発生装置１を得ることができる。さらに、熱交換器３に拡散された湯水を循環使用するバッファタンク６や循環ポンプ７等からなる湯水循環手段を有するため、拡散パイプ５から拡散された湯水を再び拡散パイプ５に供給し湯水を再利用できて、水の有効利用が図れ蒸気発生装置１の省エネ効果を一層高めることができる。
【００３７】
ところで、上記実施形態において、例えば図３の二点鎖線で示すように、筐体２内の通路８内の適宜位置に誘導板３４を回動可能に配置し、この誘導板３４をミスト暖房運転時には蒸気等の送風に影響しないように配置し、装置乾燥運転時には温風をバッファタンク６に誘導するように回動させることもできる。このように構成すれば、所定位置（所定角度）で配置した誘導板３４により送風ファン９からの送風を通風路８やそれ以外の筐体２内部に効果的に流通できて、筐体２内部の全域をより確実に乾燥させることができる。この場合の誘導板３４の配置枚数は、結露発生箇所等に応じて１枚もしくは複数枚の適宜枚数に設定できる。
【００３８】
また、図３の二点鎖線で示すように、筐体２のグリル板２３が装着される開口端部に結露回収樋３５を設け、この結露回収樋３５内に回収された結露Ｗ１を、送風ファン９の逆転による温風の送風で乾燥、除去（もしくは自然乾燥）させることもできる。このように構成すれば、筐体２内面の結露のグリル板２３を介した下方である浴室１３内への滴下が防止されて、快適なミスト暖房入浴等が可能になる。この結露回収樋３５の配置位置は図示した例に限定されず、例えばグリル板２３自体に設けたりグリル板２３の吸気口２３ａや吹出口２３ｂに対応した筐体２内の適宜位置に設けることもできる。このように本発明は、送風ファン９の逆転による送風で残水Ｗや結露Ｗ１等の水分が乾燥、除去できる適宜の形状や部材の配置等を採用することができる。
【００３９】
なお、上記実施形態における熱交換器３、４の構成は、フィンと加熱手段としての温水供給管を有する同一形態の構成に限らず、例えば各熱交換器３、４を異なる形態で構成して良いし、両熱交換器３、４の加熱手段も温水供給管に限らず、他の適宜の加熱手段を採用することができ、さらに、適宜の熱源機から直接湯を供給する加熱手段を持たない熱交換器を採用することもできる。また、上記実施形態における蒸気発生装置１の浴室１３への設置位置も天井パネル１３ａに限らず、例えば壁パネルの上端部と天井パネルのコーナ部等の天井部分に設置することもできるし、上記実施形態における、バッファタンク６の全体あるいは回収部６ａや貯留部６ｂ自体の形状等も一例であって、例えば平面視で長方形状のバッファタンク６を使用したり、バッファタンク６の下部外側を覆うように防水パンを付設した構成を採用する等、筐体２内の空間形状等に応じて適宜形状のバッファタンク６等を使用することができる。
【産業上の利用可能性】
【００４０】
本発明は、浴室の天井等に設置されて熱交換器に拡散された湯水を回収して循環する方式の蒸気発生装置に限らず、例えば浴室の洗い場のカウンター内部に配置されて拡散されて湯水をそのまま排水する方式の蒸気発生装置にも適用できる。
【図面の簡単な説明】
【００４１】
【図１】本発明に係わる蒸気発生装置の一実施形態を示す基本構成図
【図２】同その具体的構成を示す概略平面図
【図３】同通風路部分の縦断面図
【図４】同送風ファンの説明図
【図５】同他の送風ファンの説明図
【図６】同バッファタンクの平面図
【図７】同図６のＡ−Ａ線矢視図
【図８】同図６のＢ−Ｂ線矢視図
【図９】同動作の一例を示すフローチャート
【符号の説明】
【００４２】
１・・・蒸気発生装置、２・・・筐体、３、４・・・熱交換器、５・・・拡散パイプ、６・・・バッファタンク、６ａ・・・回収部、６ｂ・・・貯留部、７・・・循環ポンプ、８・・・通風路、９・・・送風ファン、９ａ・・・ファンモータ、９ｂ・・・羽根、１０・・・換気ファン、１２・・・制御基板、１３・・・浴室、１３ａ・・・天井パネル、２２・・・ヒータ、２３・・・グリル板、２３ａ・・・吸気口、２３ｂ・・・吹出口、３０、３１・・・残水貯留部、３４・・・誘導板、３５・・・結露回収樋、Ｗ・・・残水、Ｗ１・・・結露。
【図１】
2007232295.tif 000003
【図２】
2007232295.tif 000004
【図３】
2007232295.tif 000005
【図４】
2007232295.tif 000006
【図５】
2007232295.tif 000007
【図６】
2007232295.tif 000008
【図７】
2007232295.tif 000009
【図８】
2007232295.tif 000010
【図９】
2007232295.tif 000011